(57)【要約】【課題】プレキャストコンクリート版の破損を防止できるとともに、施工手間と時間を低減できる外断熱構造における通気構造を提供することを課題とする。【解決手段】構造躯体５０の外側に断熱層１０とプレキャストコンクリート版３０とを設けたプレキャスト外断熱構造において上下方向に配列されるプレキャストコンクリート版３０，３０間の通気構造１であって、上側に配置されるプレキャストコンクリート版３０の下端面の内側部分に上方に窪む欠込部３２を形成し、下側に配置されるプレキャストコンクリート版３０の上端面であってその上側に配置されるプレキャストコンクリート版３０の欠込部３２に対向する位置に、弾性止水材からなる堰部材３３を設けるとともに、この堰部材３３の上にプレキャストコンクリート版３０の厚さ方向に延びる通気路４１を有する樹脂製の通気部材４０を設けた。【選択図】図１
2008240288.tif 000002
【特許請求の範囲】
【請求項１】
構造躯体の外側に断熱層とプレキャストコンクリート版とを設けた外断熱構造において上下方向に配列されるプレキャストコンクリート版間の通気構造であって、
上側に配置されるプレキャストコンクリート版の下端面の内側部分に上方に窪む欠込部を形成し、
下側に配置されるプレキャストコンクリート版の上端面であってその上側に配置される前記プレキャストコンクリート版の前記欠込部に対向する位置に、弾性止水材からなる堰部材を設けるとともに、この堰部材の上に前記プレキャストコンクリート版の厚さ方向に延びる通気路を有する樹脂製の通気部材を設けた
ことを特徴とする外断熱構造における通気構造。
【請求項２】
下側に配置される前記プレキャストコンクリート版の上端面を水平な平面状に形成した
ことを特徴とする請求項１に記載の外断熱構造における通気構造。
【請求項３】
下側に配置される前記プレキャストコンクリート版の上端面の外側部分と、上側に配置される前記プレキャストコンクリート版の下端面の外側部分との間に、前記プレキャストコンクリート版の厚さ方向に延びる通気路を有する樹脂製の第二の通気部材を設けた
ことを特徴とする請求項１または請求項２に記載の外断熱構造における通気構造。
【請求項４】
前記通気部材は、表面に複数の突起部が所定ピッチで設けられた板材を複数積層して形成され、前記突起部間の隙間が、前記通気路を構成する
ことを特徴とする請求項１乃至請求項３のいずれか１項に記載の外断熱構造における通気構造。
【発明の詳細な説明】
【技術分野】
【０００１】
本発明は、構造躯体の外側に断熱層とプレキャストコンクリート版とを設けた外断熱構造における通気構造に関する。
【背景技術】
【０００２】
外断熱構造とは、従来、壁の内側に設けられていた断熱材を、構造躯体や壁の外側に出して、壁自体を覆うようにした構造である（例えば、特許文献１または特許文献２参照）。
【０００３】
外断熱構造の一つとして、構造躯体の外側に断熱層とプレキャストコンクリート版とを設けた外断熱構造がある。プレキャストコンクリート版を外断熱された建物の外壁に取り付ける例は少なく、空気層があるタイプと空気層がないタイプとに分けられる。空気層があるタイプは、全階層の空気層が連通し、外装版の目地はシールされて、基礎梁から空気が入り、軒天から排気されるもの、各階層ごとに設けられた上部水平目地と下部水平目地とから空気が出入するもの（但し、各目地部には水切りが外装版の目地から突出する形状で取り付けられている）、空気層が密閉されるものなどがある。ここで、内部結露水の凍結防止の観点から、空気層は外部と連通していることが好ましい。一方、水切り等を設けると、デザイン上の制約を受け、すっきりとした平面で外壁を構成することができない。
【０００４】
そこで、空気層が外部と連通して、水切りを有さない外断熱構造の一例として、図９の鉛直方向断面図に示すようなものがあった。この外断熱構造は、構造躯体を構成する壁柱１０１の外側に、断熱層１０２と、外装材となるプレキャストコンクリート版１０３が設けられている。断熱層１０２の外側表面には溝１０４が形成されており、この溝１０４で通気層（空気層）１０５が構成されている。上下方向に配置されるプレキャストコンクリート版１０３，１０３は、所定の間隔をあけて配置されており、プレキャストコンクリート版１０３，１０３間の隙間によって通気路１０６が形成されて、この通気路１０６から通気層１０５に空気が流通するように構成されている。
【０００５】
ところで、寒冷地域における建築物では、通気路１０６から通気層１０５に雨水等が浸入したままになると、その水が凍って断熱材に悪影響を及ぼしたり、凍ることで膨張して部材の変形を招いてしまったりする場合がある。なお、雨水等が一時的にする程度であれば、大きな問題にはならない。そのため、通気路１０６を構成するプレキャストコンクリート版１０３，１０３間の通気構造は、止水効果を確保するために、以下のように構成されている。
【０００６】
下側に配置されるプレキャストコンクリート版１０３の上端面の内側部分（建物の内部側）には、上方に立ち上がる立上部１０７が形成されており、上側に配置されるプレキャストコンクリート版１０３の下端面の内側部分には、上方に窪む欠込部１０８が形成されている。そして、上側のプレキャストコンクリート版１０３と下側のプレキャストコンクリート版１０３とは、立上部１０７が欠込部１０８に挿入されて互いに所定の隙間をあけるように配置されており、断面方向から見て内側部分が上方になるように屈曲した通気路１０６が形成されている。このような構成によれば、通気性能を確保することができるとともに、雨水等が通気路１０６の外側部分に浸入したとしても、内側部分の立上部１０７によって堰き止められるので、止水性能を得ることができる。したがって、暴風雨時以外は、水が通気層１０５にまで浸入することはない。また、立上部１０７の上面と欠込部１０８の下面は、ともに内側が高くなるように傾斜して形成されており、止水性能を高めるように構成されている。なお、立上部を高く、目地部内の空気流路の断面を大きく取るほど、霧化した雨水の止水効果が高まる。
【特許文献１】特開２００３−３０１５４６号公報
【特許文献２】特開２００２−２２７３２０号公報
【発明の開示】
【発明が解決しようとする課題】
【０００７】
しかしながら、前記した従来の通気構造では、上側のプレキャストコンクリート版１０３の下端部が、下側のプレキャストコンクリート版１０３の立上部１０７の上端部よりも下方に位置して、プレキャストコンクリート版１０３，１０３同士が互いに噛み合うように配置されるため、施工時にプレキャストコンクリート版１０３，１０３同士が接触しやすく、プレキャストコンクリート版１０３が破損しやすいといった問題があった。特に、立上部１０７の内側上端の出隅部分は、厚さが薄いことから少し接触しただけでも破損してしまう虞があった。
【０００８】
また、各プレキャストコンクリート版１０３，１０３は、互いに所定の間隔をあけて配置されるので、施工現場での位置決めに多くの手間と時間を要するといった問題もあった。
【０００９】
そこで、本発明は、前記の問題を解決すべく案出されたものであって、プレキャストコンクリート版の破損を防止できるとともに、施工手間と時間を低減できる外断熱構造における通気構造を提供することを課題とする。
【課題を解決するための手段】
【００１０】
前記課題を解決するために、請求項１に係る発明は、構造躯体の外側に断熱層とプレキャストコンクリート版とを設けた外断熱構造において上下方向に配列されるプレキャストコンクリート版間の通気構造であって、上側に配置されるプレキャストコンクリート版の下端面の内側部分に上方に窪む欠込部を形成し、下側に配置されるプレキャストコンクリート版の上端面であってその上側に配置される前記プレキャストコンクリート版の前記欠込部に対向する位置に、弾性止水材からなる堰部材を設けるとともに、この堰部材の上に前記プレキャストコンクリート版の厚さ方向に延びる通気路を有する樹脂製の通気部材を設けたことを特徴とする外断熱構造における通気構造である。
【００１１】
ここで、プレキャストコンクリート版の内側とは、建物の内部側を示し、プレキャストコンクリート版の断熱層側を示す。前記のような構成によれば、下側のプレキャストコンクリート版の上端面に弾性止水材からなる堰部材を設け、さらにその上に樹脂製の通気部材を設けているので、上側のプレキャストコンクリート版の下端面よりも高い位置に、下側のプレキャストコンクリート版の上端面を位置させることなく、各プレキャストコンクリート版同士を互いに噛み合うように配置させることができる。したがって、プレキャストコンクリート版同士が接触するのを防止できるとともに、上側のプレキャストコンクリート版の下端部が通気部材あるいは堰部材に接触したとても、これらの部材は、プレキャストコンクリート版よりも軟質であるので、プレキャストコンクリート版の破損を防止することができる。また、堰部材と通気部材は、プレキャストコンクリート版間のスペーサの役目を果たすことになるので、施工現場でプレキャストコンクリート版間の上下方向の位置決めを容易に且つ正確に行うことができ、施工の手間と時間を低減することができる。また、かかる通気構造では、通気部材を介して空気が通気層へと流通可能となり、一方、堰部材によって雨水等は堰き止められるので、通気性能と止水性能の両方を同時に得ることができる。
【００１２】
請求項２に係る発明は、下側に配置される前記プレキャストコンクリート版の上端面を水平な平面状に形成したことを特徴とする請求項１に記載の外断熱構造における通気構造である。
【００１３】
前記のような構成によれば、下側に配置されるプレキャストコンクリート版の上端面に対応する部分の型枠に段差を設けるための加工を施さなくて済むので、プレキャストコンクリート版の製造における施工手間と時間を低減でき、建築コストの低減を達成できる。
【００１４】
請求項３に係る発明は、下側に配置される前記プレキャストコンクリート版の上端面の外側部分と、上側に配置される前記プレキャストコンクリート版の下端面の外側部分との間に、前記プレキャストコンクリート版の厚さ方向に延びる通気路を有する樹脂製の第二の通気部材を設けたことを特徴とする請求項１または請求項２に記載の外断熱構造における通気構造である。
【００１５】
ここで、プレキャストコンクリート版の外側とは、建物の外部側を示し、プレキャストコンクリート版の外表面側を示す。前記のような構成によれば、上下方向に配置されるプレキャストコンクリート版の上端面と下端面間の隙間の内側部分には通気部材と堰部材が介設され、外側部分には第二の通気部材が介設されることとなるので、プレキャストコンクリート版間の内側部分と外側部分の二点でスペーサの役目を得られ、施工現場でプレキャストコンクリート版間の上下方向の位置決めを容易に且つ正確に行うことができ、施工の手間と時間を低減することができる。また、プレキャストコンクリート版間の隙間の外側寄りに第二の通気部材を設けたことによって、雨水等の吹込みの勢いを低減できるので、止水性能を高めることができる。
【００１６】
請求項４に係る発明は、前記通気部材が、表面に複数の突起部が所定ピッチで設けられた板材を複数積層して形成され、前記突起部間の隙間が、前記通気路を構成することを特徴とする請求項１乃至請求項３のいずれか１項に記載の外断熱構造における通気構造である。
【００１７】
前記のような構成によれば、突起部で荷重を支えることで、通気部材がスペーサの役目を果たすとともに、所定ピッチで設けられた突起間が通気路を構成することとなる。また、通気部材は柔軟性を備えることができ、プレキャストコンクリート版の形状に追従して変形可能であるので、容易な施工で隙間なく取り付けることができる。
【発明の効果】
【００１８】
本発明によれば、プレキャストコンクリート版の破損を防止できるとともに、施工手間と時間を低減することができるといった優れた効果を発揮する。
【発明を実施するための最良の形態】
【００１９】
本発明を実施するための最良の形態について、添付図面を参照しながら詳細に説明する。
【００２０】
なお、本実施の形態では、構造躯体が、現場打ちの鉄筋コンクリート製壁柱で構成された例を挙げて説明する。
【００２１】
図１に示すように、本実施の形態に係る外断熱構造における通気構造１における断熱層１０とプレキャストコンクリート版３０は、構造躯体５０の外側に設けられている。断熱層１０は、構造躯体５０である壁柱５１の外側（建物の外部側）表面に当接して配置されており、プレキャストコンクリート版３０と壁柱５１との間で挟まれて固定されている。断熱層１０は、例えば厚さ１００ｍｍのＦＰ板（発泡ポリスチレン製の断熱材）にて構成されており、その外側（プレキャストコンクリート版３０側）表面には、上下方向に延びる溝１１が形成されている。断熱層１０の外側表面には、プレキャストコンクリート版３０が当接して固定されており、プレキャストコンクリート版３０の内側部分（建物の内部側）表面と溝１１とで、通気層１２が区画形成される。溝１１は、例えば２５ｍｍの深さに形成されている。
【００２２】
溝１１は、図６の白抜き部分に示すように、断熱層１０の上端から下端まで連通して形成されており、通気層１２（図１参照）が断熱層１０の上下で連通するように構成されている。また、溝１１は、水平方向にも連通しており、空気がプレキャストコンクリート版３０の内側で左右上下に流通するように構成されている。なお、図６中、二点鎖線は、プレキャストコンクリート版３０と、その周囲に取り付けられている断熱層１０以外の部材を示す。
【００２３】
プレキャストコンクリート版３０は、図５に示すように、工場等で予め形成された鉄筋コンクリート製の板材であって、本実施の形態では、外側表面がコンクリート打放し仕様に形成されている。なお、本実施の形態において、プレキャストコンクリート版３０の外側とは、建物の外部側を示し、プレキャストコンクリート版３０の内側とは、建物の内部側で断熱層１０および構造躯体５０が位置する側を示す。
【００２４】
プレキャストコンクリート版３０には、図４の（ａ）に示すように、断熱層１０を押さえるとともに、壁柱５１の打設時の型枠（図示せず）の位置決めを行うためのセパレータ１４が設けられている。セパレータ１４は、その一端がプレキャストコンクリート版３０内に埋設されて、他端が内側（壁柱５１側）に延出するように構成されている。セパレータ１４は、ネジ棒にて構成されており、セパレータ１４には、断熱層１０を押さえる断熱層押さえ部材１５と、壁柱５１の型枠を押さえる型枠押さえ部材１６とが螺合されるようになっている。セパレータ１４は、プレキャストコンクリート版側セパレータ１４ａと壁柱側セパレータ１４ｂとに分割されており、プレキャストコンクリート版側セパレータ１４ａの端部に断熱層押さえ部材１５が螺合され、この断熱層押さえ部材１５に壁柱側セパレータ１４ｂを螺合させることで、プレキャストコンクリート版側セパレータ１４ａと壁柱側セパレータ１４ｂとが一体的に接続されている。そして、壁柱側セパレータ１４ｂの先端に、型枠押さえ部材１６が螺合されている。このような構成によれば、プレキャストコンクリート版３０の搬送時には、壁柱側セパレータ１４ｂは設けなくてよいので、断熱層１０の表面から突出するのは突出長さの短い断熱層押さえ部材１５のみとなり、搬送し易くなる。そして、壁柱５１の型枠の組立時に壁柱側セパレータ１４ｂを取り付ければよい。このような構成のプレキャストコンクリート版側セパレータ１４ａは、図５に示すように、所定のピッチでプレキャストコンクリート版３０の略全面に亘って設けられている。
【００２５】
プレキャストコンクリート版は、特開２００４−３２４１３８号公報に示すように、鋼製の角パイプからなる筒状本体の両端部にフランジ部が一体的に溶接固定されて構成された固定金物を介して壁柱に固定されている。
【００２６】
図１に示すように、上下方向に配列されるプレキャストコンクリート版３０，３０同士の継手部分で、上側に配置されるプレキャストコンクリート版３０の下端面の内側部分には、上方に窪む欠込部３２が形成されている。欠込部３２は、プレキャストコンクリート版３０の下端面と内側部分表面とが交差する出隅部分を欠き込むように形成されており、深さが目地３１と同等の寸法（略２０ｍｍ）に形成されている。欠込部３２の幅は、プレキャストコンクリート版３０の厚さの略半分の寸法で形成されており、欠込部３２の底となる上底面３２ａは平面状に形成されている。欠込部３２の側面となる段部３２ｂは、内側に向かうに連れて上方に上がるように傾斜して形成されており、この段部３２ｂの中心部がプレキャストコンクリート版３０の厚さ方向の中心部と一致している。欠込部３２は、プレキャストコンクリート版３０の幅方向（紙面表裏方向）に連続して形成されている。
【００２７】
上下方向に配列されるプレキャストコンクリート版３０，３０同士の継手部分で、下側に配置されるプレキャストコンクリート版３０の上端面は、水平な平面状に形成されている。この上端面であって、その上側に配置されるプレキャストコンクリート版３０の欠込部３２に対向する位置には、弾性止水材からなる堰部材３３が設けられている。さらに、この堰部材３３の上には、プレキャストコンクリート版３０の厚さ方向（図１では左右方向）に延びる通気路４１を有する樹脂製の通気部材４０が設けられている。なお、上下方向に配列されるプレキャストコンクリート版３０同士の間には、例えば略２０ｍｍのクリアランスが確保され、目地３１が形成されている。このクリアランスの寸法Ｈ１が目地３１の高さ寸法となる。
【００２８】
堰部材３３は、例えば独立気泡を有する発泡ゴム等の弾性発泡体にて構成されており、プレキャストコンクリート版３０の上端面に沿って長い直方体形状を呈している。堰部材３３は、欠込部３２の上底面３２ａの幅寸法Ｗ０（プレキャストコンクリート版３０の厚さ方向寸法）よりも短い幅寸法Ｗ１（プレキャストコンクリート版３０の厚さ方向寸法）を有している。また、堰部材３３の高さ寸法Ｈ２は、プレキャストコンクリート版３０，３０間で圧縮された状態で、目地３１の高さ寸法Ｈ１と同等か、あるいはそれより長い高さ寸法（本実施の形態では、目地３１の高さ寸法と同等）となっている。すなわち、堰部材３３は、その上端面が、上側に配置されるプレキャストコンクリート版３０の外側部分の下端面（上底面３２ａ）と同じ高さ位置またはそれよりも高い位置（本実施の形態では同じ高さ位置）に形成されることとなる。
【００２９】
図２に示すように、堰部材３３は、二つのテープ状堰部材３３ａ，３３ｂを積層することで形成されている。テープ状堰部材３３ａ，３３ｂの片面には接着層３４がそれぞれ形成されており、テープ状堰部材３３ａ，３３ｂは、それぞれ接着層３４が下側になるように設けられている。すなわち、下側のテープ状堰部材３３ａの接着層３４によって、そのテープ状堰部材３３ａの下面全体がプレキャストコンクリート版３０の上端面に水密状態で固着され、さらに、上側のテープ状堰部材３３ｂの接着層３４によって、上下のテープ状堰部材３３ａ，３３ｂ同士が水密状態で固着される。テープ状堰部材３３ａ，３３ｂは、その取付け前はロール状に巻きつけられており、工場あるいは施工現場にて貼り付けられる。このとき、テープ状堰部材３３ａ，３３ｂは弾性発泡体で構成されているので、柔軟性を有し、ロール状に巻きつけることで、保管や運搬を容易にすることができる。さらに、貼付け時に接着層３４を、貼付け対象に押し付けるだけで容易に固着でき、貼り付けた後は、テープ状堰部材３３ａ，３３ｂはカッター等で容易に切断できるので、施工が非常に容易で手間と時間を大幅に低減することができる。
【００３０】
なお、堰部材３３は、図８に示すように、３つのテープ状堰部材３３ａ，３３ｂ，３３ｃを積層して、その上端面が、上側に配置されるプレキャストコンクリート版３０の外側部分の下端面よりも高い位置になるように形成してもよい。このようにすれば、止水効果をさらに高めることができる。この場合、欠込部３２は、堰部材３３の高さが高くなった分（テープ状堰部材３３ｃ１枚分の厚さ）欠込深さが大きくなる。
【００３１】
通気部材４０は、ポリプロピレンを主成分とした高分子部材である樹脂系材質にて構成されている。通気部材４０は、表面に複数の突起部４３が所定ピッチで設けられた板材４４を複数積層して形成されており、プレキャストコンクリート版３０の上端面に沿って長い直方体形状を呈している。通気部材４０は、堰部材３３の幅寸法Ｗ１と同等の幅寸法Ｗ２（プレキャストコンクリート版３０の厚さ方向寸法）を有し、また、プレキャストコンクリート版３０，３０間で圧縮された状態で、目地３１の高さ寸法Ｈ１（＝堰部材３３の高さ寸法Ｈ２）と同等の高さ寸法を有している。これによって、堰部材３３の上に通気部材４０を積層した高さが、下側のプレキャストコンクリート版３０の上端面と、上側のプレキャストコンクリート版３０の下端面の欠込部３２の上底面３２ａとの間の寸法と同等となる。図１に示すように、通気部材４０は、堰部材３３の真上に配置され、上側のプレキャストコンクリート版３０の内側表面と、通気部材４０の内側側面と、堰部材３３の内側側面と、下側のプレキャストコンクリート版３０の内側表面とが同一平面状になる。
【００３２】
図２に示すように、突起部４３は、板材４４の表面に千鳥状に配列されており、通気部材４０の長手方向に隣り合う突起部４３間に、通気路４１が通気部材４０の幅方向（プレキャストコンクリート版３０の厚さ方向）に延びて形成されることとなる。
【００３３】
本実施の形態では、通気部材４０は、図１に示すように、下側に配置されるプレキャストコンクリート版３０の上端面の外側部分と、上側に配置されるプレキャストコンクリート版３０の下端面の外側部分との間にも設けられている。この外側に位置する第二の通気部材４０は、プレキャストコンクリート版３０の外側表面から、１０ｍｍ程度内側に配置されており、目地３１を断面矩形形状に構成している。また、第二の通気部材４０は、内側側面が、欠込部３２の外側端部（段部３２ｂの外側端部）に同一面となるように配置されている。これによって、第二の通気部材４０と、内側の堰部材３３および通気部材４０との間に空間４５が設けられることになり、外部の空気は、外側の第二の通気部材４０から流入して、空間４５で上方に流れ、内側の通気部材４０を介して通気層１２へと流れる。
【００３４】
図３の（ａ）および（ｂ）は、本発明に係る外断熱構造における通気構造１を示した水平方向断面図である。プレキャストコンクリート版３０の欠込部３２（図１参照）は、水平方向に見て断熱層１０の溝１１が形成されている部分の端部１１ａまで形成されており、プレキャストコンクリート版３０の水平断面で見て長さ方向（図３中、左右方向）の端部近傍には形成されていない。すなわち、図３の（ａ）の溝１１の端部１１ａよりも左側（端部側）でプレキャストコンクリート版３０の内側部分は、欠込部３２の高さの断面となるので、コンクリート断面となっている。前記溝１１の端部１１ａよりも左側は、プレキャストコンクリート版３０同士の隙間が略２０ｍｍとなっており、外気に接する部分にはシール材４６が充填されている。シール材４６は、その表面がプレキャストコンクリート版３０の表面と略面一となるように施工されており、プレキャストコンクリート版３０の外側表面から、側部表面（端面）、内側表面へと延出され、断熱層１０が設けられた位置の少し入り込んだ部分まで形成されている。シール材４６が充填されている部分以外の、断熱層１０と接する部分および堰部材３３と通気部材４０と接する部分には、堰部材４７が設けられている。この堰部材４７も、他の堰部材３３と同様にテープ状堰部材を二段積層して形成されており、上下のプレキャストコンクリート版３０，３０間の隙間の寸法（略２０ｍｍ）と同等の高さに形成されている。なお、サッシ５２は、図示しない接続部材によって壁柱５１に固定されている。プレキャストコンクリート版３０とサッシ５２との間には、シール材が設けられている。
【００３５】
以上のような構成によれば、建物の外部と、プレキャストコンクリート版３０の内側に形成された通気層１２とは、図１および図３の（ａ）に示すように、外側の通気部材４０の通気路４１、外側の通気部材４０と内側の通気部材４０との空間４５、内側の通気部材４０の通気路４１を介して連通されている。また、建物の外部と、プレキャストコンクリート版３０の内側に形成された通気層１２とは、図１および図３の（ｂ）に示すように、上下のプレキャストコンクリート版３０，３０間の隙間の内側部分に設けられた堰部材３３によって区画されて、雨水等は堰き止められる。
【００３６】
次に、前記構成のプレキャストコンクリート版３０と断熱層１０との組立工程および施工現場での施工工程を説明しながら、本発明の作用効果を説明する。
【００３７】
別途形成しておいた断熱層１０をプレキャストコンクリート版３０の内側表面に貼り付ける。断熱層１０には、固定金物２０用の貫通孔２７（図６参照）やセパレータ１４用の貫通孔（図示せず）が形成されており、固定金物２０やセパレータ１４が円滑に断熱層１０を貫通する。そして、セパレータ１４の先端に断熱層押さえ部材１５を螺合させて断熱層１０を固定する。固定金物２０と貫通孔２７との隙間に、断熱材２８を充填する。これによって、建物外部と構造躯体５０との断熱性能の低下を防止できる。また、固定金物２０は、断熱コーティング層２３で被覆されているので、プレキャストコンクリート版３０から構造躯体５０への熱伝達を防止できる。ここで、断熱層１０には、溝１１が形成されているので、プレキャストコンクリート版３０に貼り付けるだけで、プレキャストコンクリート版３０と断熱層１０との間に通気層１２が形成される。
【００３８】
その後、プレキャストコンクリート版３０の上端面に、堰部材３３と通気部材４０を固定する。このとき、通気部材４０は、ポリプロピレンを主成分とした樹脂系材質にて構成されているので、取り付け部分が曲線状であっても、堰部材３３と併せて追従することができ、隙間なく固定することができる。
【００３９】
下側のプレキャストコンクリート版３０の上端面に弾性止水材からなる堰部材３３を設け、さらにその上に樹脂製の通気部材４０を設けているので、壁柱５１に固定されたプレキャストコンクリート版３０の上に新たなをプレキャストコンクリート版３０を組立てる際に、上側のプレキャストコンクリート版３０の下端面よりも高い位置に、下側のプレキャストコンクリート版３０の上端面が位置することがない。したがって、プレキャストコンクリート版３０，３０同士が接触するのを防止できる。そして、上側のプレキャストコンクリート版３０の下端部が通気部材４０あるいは堰部材３３に接触したとても、これらの部材は軟質であるので、プレキャストコンクリート版３０の破損を防止することができる。さらに、欠込部３２の段部３２ｂは傾斜して形成されており、出隅部の角度が鈍角になるので、プレキャストコンクリート版３０の破損性をさらに低減することができる。
【００４０】
プレキャストコンクリート版３０の建て込み時には、堰部材３３は、上方にプレキャストコンクリート版３０が載置されることで、圧縮されて堰部材３３自体の止水性能が高められるとともに、プレキャストコンクリート版３０の上端面との接着性も高められる。さらに、通気部材４０は、プレキャストコンクリート版３０に圧縮されることで、プレキャストコンクリート版３０や堰部材３３との接着性が高められる。なお、上下のプレキャストコンクリート版３０は、接続プレート３６（図３、図４の（ｂ）、図５および図６参照）を介して互いに固定される。
【００４１】
このような構成の通気構造１によれば、外部の空気は、外側の第二の通気部材４０、外側の通気部材４０と内側の堰部材３３および通気部材４０との間の空間４５および内側の通気部材４０を通過して、内部の通気層１２に流入し、通気性能を得られる。ここで、各プレキャストコンクリート版３０，３０同士は、その継手部分において、上側のプレキャストコンクリート版３０の下端面の欠込部３２に、下側のプレキャストコンクリート版３０の上端に設けられた堰部材３３および通気部材４０が入り込んで、プレキャストコンクリート版３０，３０同士が互いに噛み合うように配置されるので、空気は、外側の第二の通気部材４０と内側の堰部材３３および通気部材４０との間の空間４５で一旦屈曲して内部の通気層１２に流入されることとなる。したがって、暴風雨の場合であっても、強風の勢いは空間４５で緩和されることとなり、空気と一緒に雨水等が通気部材４０を通過して通気層１２内に大部分の雨水が浸入することを防止できる。また、プレキャストコンクリート版３０，３０間の隙間の外側寄りにも第二の通気部材４０を設けたことによって、雨水等は突起部４３に当たって、雨水等の吹込みの勢いを低減できるので、止水性能をさらに高めることができる。また、突起部４３が千鳥状に配置されているので、霧状の雨であっても通気路４１を通過する際に突起部４３に接することで水滴化することができ、止水性能を高めている。さらに、通気部材４０は、通気路４１が狭く形成されているので、空気と水は通過可能であるが、ゴミや枯葉等は止めることができ、建物内にゴミや枯葉等が入り込むのを防止することができる。
【００４２】
雨が止むなどして、目地３１に雨水が吹き込む条件がなくなれば、堰部材３３で堰き止められて溜まっていた雨水は、浸入してきた外側の第二の通気部材４０を通過して外部に排出される。
【００４３】
さらに、通気部材４０と堰部材３３は、圧縮変形しやすいので、プレキャストコンクリート版３０を建て込むだけで、コンクリート面と各部材面との間に、隙間を形成することなく、密着させることができる。
【００４４】
また、堰部材３３は、その上端面が、上側に配置されるプレキャストコンクリート版３０の外側部分の下端面と同じ高さ位置になるように形成されているので、雨水等が上下のプレキャストコンクリート版３０，３０間の隙間に吹き込まれて、その隙間の高さ（目地３１の高さＨ１）の全体まで溜まったとしても、雨水等は堰部材３３に当たるので、堰部材３３で雨水等を確実に堰き止めることができる。なお、前記構成の通気構造１で、実際に送風機とシャワーレンジを用いて想定される暴風雨の条件で止水性確認試験を行ったところ、水の浸入はなく、十分な止水性能を得られることが確認されている。また、断熱層１０と一体化されたプレキャストコンクリート版３０を立ち上げて、外側や下部で発煙させて、通気性確認試験をおこなったところ、各部から煙が流れ出て、十分な通気性能を得られることが確認されている。
【００４５】
図７は、本発明に係る外断熱構造における通気構造を実施するための最良の他の形態を示した断面図である。
【００４６】
本実施の形態に係る通気構造１は、下側に配置されるプレキャストコンクリート版３０の上端面の内側部分に、突条部３５が形成されている。突条部３５は、その上端面３５ａが、上側に配置されるプレキャストコンクリート版３０の外側部分の下端面よりも低い高さに位置するように形成されている。本実施の形態では、突条部３５の高さは、目地３１の高さ寸法Ｈ１の略半分の高さとなっており、テープ状堰部材３３ｃと同等の高さとなっている。突条部３５の外側の段部３５ｂは傾斜して形成されており、突条部３５の外側出隅部が鈍角になるように構成されている。突条部３５の上には堰部材４８が貼り付けられている。この堰部材４８は、一枚のテープ状堰部材３３ｃにて構成されており、堰部材４８の上端面の高さ位置が、上側に配置されるプレキャストコンクリート版３０の外側部分の下端面の高さ位置と同等になるようになっている。なお、その他の構成については、図１に示した実施の形態と同様であるので、同じ部材には同じ符号を付してその説明を省略する。
【００４７】
このような構成によれば、プレキャストコンクリート版３０の上端面に突条部３５を形成したことによって、万一、堰部材４８が破断したとしても、雨水等は突条部３５で確実に堰き止められるので止水性能を失うことはない。そして、突条部３５の上に堰部材４８を設けているので、前記実施の形態と同等の止水性能を得ることができる。
【００４８】
以上、本発明を実施するための形態について説明したが、本発明は前記実施の形態に限定されず、本発明の趣旨を逸脱しない範囲で適宜設計変更が可能である。例えば、前記実施の形態では、堰部材３３を２枚のテープ状堰部材３３ａ，３３ｂを積層して構成しているが、これに限られるものではなく、一体型の弾性発泡体を貼り付けるようにしてもよいのは勿論ある。
【００４９】
また、前記実施の形態では、堰部材３３は、その上端面と、上側のプレキャストコンクリート版３０の下端面とが同じ高さになるように形成されているが、堰部材３３の上端面はさらに高い位置であってもよい。
【図面の簡単な説明】
【００５０】
【図１】本発明に係る外断熱構造における通気構造を実施するための最良の形態を示した断面図である。
【図２】本発明に係る外断熱構造における通気構造の堰部材と通気部材を示した一部分解斜視図である。
【図３】（ａ）は図１のＡ−Ａ線で切った水平方向断面図、（ｂ）は図１のＢ−Ｂ線で切った水平方向断面図である。
【図４】（ａ）は図３の（ａ）のＣ−Ｃ線で切った鉛直方向断面図、（ｂ）は図３の（ａ）のＤ−Ｄ線で切った鉛直方向断面図である。
【図５】本発明に係る外断熱構造における通気構造のプレキャストコンクリート版を内側から見た側面図である。
【図６】本発明に係る外断熱構造における通気構造の断熱層を外側から見た側面図である。
【図７】本発明に係る外断熱構造における通気構造を実施するための最良の他の形態を示した断面図である。
【図８】本発明に係る外断熱構造における通気構造を実施するための最良のさらに他の形態を示した断面図である。
【図９】従来の外断熱構造における通気構造を示した断面図である。
【符号の説明】
【００５１】
１      通気構造
１０    断熱層
１２    通気層
３０    プレキャストコンクリート版
３２    欠込部
３３    堰部材
４０    通気部材
４１    通気路
４３    突起部
４４    板材
５０    構造躯体
【図１】
2008240288.tif 000003
【図２】
2008240288.tif 000004
【図３】
2008240288.tif 000005
【図４】
2008240288.tif 000006
【図５】
2008240288.tif 000007
【図６】
2008240288.tif 000008
【図７】
2008240288.tif 000009
【図８】
2008240288.tif 000010
【図９】
2008240288.tif 000011